【手続補正書】
【提出日】平成20年9月19日(2008.9.19)
【手続補正１】
【補正対象書類名】明細書
【補正対象項目名】特許請求の範囲
【補正方法】変更
【補正の内容】
【特許請求の範囲】
【請求項１】  固定スリーブ及び回転軸を有し、前記回転軸が前記固定スリーブに非接触で回転するラジアル空気軸受と、前記固定スリーブに遊嵌する筒状部を有し、前記回転軸に固定され、前記回転軸の上端を覆うフランジ部材と、前記フランジ部材に保持され、レーザ光を反射する回転多面鏡と、を有する光偏向装置において、前記フランジ部材の筒状部の内径が前記固定スリーブの外径より大きくなっており、前記回転軸方向における前記回転多面鏡の厚み領域内に、前記ラジアル空気軸受の動圧発生部の一部が位置することを特徴とする光偏向装置。
【請求項２】  前記回転軸の材質の比重をγ１、前記フランジ部材の材質の比重をγ２、前記回転多面鏡の材質の比重をγ３とする時、γ１＞γ２、且つ、γ１＞γ３となる材質がそれぞれ選択されていることを特徴とする請求項１記載の光偏向装置。
【請求項３】  前記フランジ部材によって覆われている前記回転軸の上端の中心部に、上方向に開放する穴が設けられていることを特徴とする請求項１または２記載の光偏向装置。
【手続補正２】
【補正対象書類名】明細書
【補正対象項目名】００１１
【補正方法】変更
【補正の内容】
【００１１】
【課題を解決するための手段】
上記目的を達成するために、本発明は、 固定スリーブ及び回転軸を有し、前記回転軸が前記固定スリーブに非接触で回転するラジアル空気軸受と、前記固定スリーブに遊嵌する筒状部を有し、前記回転軸に固定され、前記回転軸の上端を覆うフランジ部材と、前記フランジ部材に保持され、レーザ光を反射する回転多面鏡と、を有する光偏向装置において、前記フランジ部材の筒状部の内径が前記固定スリーブの外径より大きくなっており、前記回転軸方向における前記回転多面鏡の厚み領域内に、前記ラジアル空気軸受の動圧発生部の一部が位置することを特徴とする。
【手続補正３】
【補正対象書類名】明細書
【補正対象項目名】００１２
【補正方法】変更
【補正の内容】
【００１２】
本発明は、第２に、前述の発明の構成に加えて、前記回転軸の材質の比重をγ１、前記フランジ部材の材質の比重をγ２、前記回転多面鏡の材質の比重をγ３とする時、γ１＞γ２、且つ、γ１＞γ３となる材質がそれぞれ選択されていることを特徴とする。
【手続補正４】
【補正対象書類名】明細書
【補正対象項目名】００１３
【補正方法】変更
【補正の内容】
【００１３】
本発明は、第３に、前述の構成に加えて、前記フランジ部材によって覆われている前記回転軸の上端の中心部に、上方向に開放する穴が設けられていることを特徴とする。
【手続補正５】
【補正対象書類名】明細書
【補正対象項目名】００１４
【補正方法】変更
【補正の内容】
【００１４】
【実施例】
（実施例１）
図１は、本発明の実施例１の光偏向装置を有する書き込み光学装置を示す。回転多面鏡１１０を回転させるモータ１２０は、書き込み光学装置の光学箱１１１に固定されたモータハウジング１２１と、これによって保持された固定スリーブ１２８と、回転軸１２２にフランジ部材１２６を介して固定されたロータマグネット１２４と、これの内面に備えられたマグネット部に対向するステータコイル１２５とを有し、ステータコイル１２５は駆動回路１１３から供給される電流によって励磁されてロータマグネット１２４を回転させる。回転軸１２２はフランジ部材１２６の円環部１１５に嵌合によって位置決めされ、焼き嵌めや接着によって固定されている。ここで、図１に示すように、フランジ部材１２６は回転軸１２２の上端を覆っている。
【手続補正６】
【補正対象書類名】明細書
【補正対象項目名】００１８
【補正方法】変更
【補正の内容】
【００１８】
本実施例によれば、フランジ部材１２６の筒状部１１６の内径を固定スリーブ１２８の外径より大きくし、回転多面鏡１１０の中心穴内に固定スリーブ１２８を通している。即ち、回転軸方向における回転多面鏡１１０の厚み領域内に、ラジアル空気軸受の動圧発生部１３４の一部が存在する構成となっている。ここで動圧発生部１３４といっているのは、回転軸１２２と固定スリーブ１２８とが小さなクリアランスを有して対向している図１中の固定スリーブ１２８の長さ方向全域を指している。
【手続補正７】
【補正対象書類名】明細書
【補正対象項目名】００２１
【補正方法】変更
【補正の内容】
【００２１】
回転多面鏡１４０はアルミ合金を母材とし光反射面をダイヤモンドカッターで鏡面加工したものを用いている。これを回転させるモータは、モータハウジング１２１、固定スリーブ１２８、回転軸１４２、ロータマグネット１２４、ステータコイル１２５、駆動回路１１３等で構成され、駆動回路１１３から供給される電流によってステータコイル１２５は励磁されロータマグネット１２４を回転させる。
【手続補正８】
【補正対象書類名】明細書
【補正対象項目名】００２５
【補正方法】変更
【補正の内容】
【００２５】
ここで、回転軸１４２の材質の比重γ１は約８．１、フランジ部材１４６の材質の比重γ２、回転多面鏡１４０の材質の比重γ３は約２．７であり、γ１＞γ２、且つ、γ１＞γ３となっている。
【手続補正９】
【補正対象書類名】明細書
【補正対象項目名】００３０
【補正方法】変更
【補正の内容】
【００３０】
回転多面鏡１１０を回転させるモータは、モータハウジング１２１、固定スリーブ１２８、回転軸１５２、ロータマグネット１２４、ステータコイル１２５、駆動回路１１３等で構成され、駆動回路１１３から供給される電流によってステータコイル１２５は励磁されロータマグネット１２４を回転させる。
【手続補正１０】
【補正対象書類名】明細書
【補正対象項目名】００３２
【補正方法】変更
【補正の内容】
【００３２】
図３に示すように、フランジ部材１２６によって覆われている回転軸１５２の上端の中心部には、上方向に開放する穴１５３が設けられている。回転軸１５２の回転によって固定スリーブ１２８との間に空気膜を形成し、固定スリーブ１２８に非接触で回転するラジアル空気軸受を構成している。
【手続補正１１】
【補正対象書類名】明細書
【補正対象項目名】００３７
【補正方法】変更
【補正の内容】
【００３７】
【発明の効果】
以上説明したように、本発明は、固定スリーブ及び回転軸を有し、前記回転軸が前記固定スリーブに非接触で回転するラジアル空気軸受と、前記固定スリーブに遊嵌する筒状部を有し、前記回転軸に固定され、前記回転軸の上端を覆うフランジ部材と、前記フランジ部材に保持され、レーザ光を反射する回転多面鏡と、を有する光偏向装置において、前記フランジ部材の筒状部の内径が前記固定スリーブの外径より大きくなっており、前記回転軸方向における前記回転多面鏡の厚み領域内に、前記ラジアル空気軸受の動圧発生部の一部が位置することを特徴とするので、回転体全体の重心を下方に移動させて、ラジアル空気軸受の動圧発生部中心に近づけることが可能になり、回転中の振れ回りが小さくなることによって起動・停止の耐久性が効果的に向上する。また、前述の構成に加えて、前記回転軸の材質の比重をγ１、前記フランジ部材の材質の比重をγ２、前記回転多面鏡の材質の比重をγ３とする時、γ１＞γ２、且つ、γ１＞γ３となる材質がそれぞれ選択されていることを特徴とするので、効果をさらに大きくでき、また、前述の構成に加えて、前記フランジ部材によって覆われている前記回転軸の上端の中心部に、上方向に開放する穴が設けられていることを特徴とするので、効果をさらに大きくできる。このようなラジアル空気軸受を光偏向装置に搭載することで、静電写真記録装置の画質向上と性能向上に大きく貢献できる。